(57)【要約】【課題】  不要な再接続待ちによる電力消費を低減する通信制御装置及び電子機器を提供する。【解決手段】  通信部３３が非接続状態の場合に無条件で再接続処理を行うのではなく、ステップＳＴ１３に示すように、生体情報測定装置１００が装着状態であると判定したことを条件に再接続処理を行う。非接続状態において、装着状態と判定された場合には、再接続処理を行ってから、記憶部３１に記憶された未送信の生体データ等を通信部３３を介して送信する。【選択図】図４
2018133791.tif 000002
【特許請求の範囲】
【請求項１】
生体に着脱可能に装着される電子機器に搭載される通信制御装置であって、
前記電子機器が生体に装着されているか否かの装着判定する装着判定部と、
前記電子機器に搭載された通信部が通信先と接続状態であるか否かを判定する通信判定部と、
前記通信部が非接続状態であると判定し、且つ前記装着判定部が装着状態であると判定した場合に、前記通信部が前記通信先と再接続処理を行うように制御する制御部と
を有する通信制御装置。
【請求項２】
前記生体に接触する生体接触部を有し、当該生体接触部と生体との接触に応じた信号を発生する接触センサと、
前記接触センサからの信号に応じて生体データを記憶する記憶部と
を有し、
前記制御部は、前記通信部が非接続状態であると判定し、且つ前記通信部から未送信の前記生体データが前記記憶部に記憶されている場合に、前記再接続処理を行うように制御する
請求項１に記載の通信制御装置。
【請求項３】
前記装着判定部は、前記生体接触部からの信号を基に前記装着判定を行う
請求項２に記載の通信制御装置。
【請求項４】
前記制御部は、前記装着判定部が装着状態であると判定した場合に、前記接触センサからの信号に応じた生体データを前記記憶部に記憶する
請求項２に記載の通信制御装置。
【請求項５】
前記生体データを基に解析処理を行う解析部
をさらに有し、
前記制御部は、前記装着判定部が装着状態であると判定した場合に、前記解析部の解析結果を示す解析データを前記記憶部に記憶する
請求項２に記載の通信制御装置。
【請求項６】
前記制御部は、前記装着判定部が非装着状態の期間が所定時間経過したと判定した場合に、前記通信部による通信の切断処理を行う
請求項１に記載の通信制御装置。
【請求項７】
前記制御部は、前記装着判定部が非装着状態であると判定した場合に、前記生体データより情報量が少ない非装着データを前記記憶部に記憶する
請求項４に記載の通信制御装置。
【請求項８】
前記制御部は、前記通信部が接続状態において、前記記憶部から前記生体データを読み出して前記通信部に送信させる
請求項４に記載の通信制御装置。
【請求項９】
前記制御部は、前記通信部が接続状態において、前記記憶部から前記解析データを読み出して前記通信部に送信させる
請求項５に記載の通信制御装置。
【請求項１０】
前記制御部は、前記通信部が接続状態において、前記記憶部から前記非装着データを読み出して前記通信部に送信させる
請求項７に記載の通信制御装置。
【請求項１１】
生体に装着される電子機器であって、
生体に着脱可能に装着される電子機器に搭載される通信制御装置
を有し、
前記通信制御装置は、
前記電子機器が生体に装着されているか否かの装着判定する装着判定部と、
前記電子機器に搭載された通信部が通信先と接続状態であるか否かを判定する通信判定部と、
前記通信部が非接続状態であると判定し、且つ前記装着判定部が装着状態であると判定した場合に、前記通信部が前記通信先と再接続処理を行うように制御する制御部と
を有する
電子機器。
【発明の詳細な説明】
【技術分野】
【０００１】
本発明は、通信制御装置及びそれを用いた電子機器に関するものである。
【背景技術】
【０００２】
特許文献１には、ワイヤレスデバイス（携帯型通信装置）において、電波強度や外乱影響により、通信先（ホスト）との接続が切れた場合は、自動で再接続を行う場合という技術が知られている。
【先行技術文献】
【特許文献】
【０００３】
【特許文献１】特開２０１２−００８８０１号公報
【発明の概要】
【発明が解決しようとする課題】
【０００４】
しかしながら、上述した従来技術のように、自動で再接続を行う場合、既に機器を使用しておらず再接続不要な場合においても、再接続待ちとなり、無駄な電力を消費してしまう。
【０００５】
一方、自動で再接続を行わない場合、機器使用中にも関わらずデータ送信できず、適切な機能を発揮できなという問題がある。
また、機器に生じた加速度を基に、再接続処理を切り替えると、走行時、振動時、着座時にうまく切り分けできない
【０００６】
本発明はかかる事情に鑑みてなされたものであり、その目的は、不要な再接続待ちによる電力消費を低減する通信制御装置及び電子機器を提供することである。
また、
【課題を解決するための手段】
【０００７】
上述した従来技術の問題点を解決し、上述した目的を達成するために、本発明の通信制御装置は、生体に着脱可能に装着される電子機器に搭載される通信制御装置であって、前記電子機器が生体に装着されているか否かの装着判定する装着判定部と、前記電子機器に搭載された通信部が通信先と接続状態であるか否かを判定する通信判定部と、前記通信部が非接続状態であると判定し、且つ前記装着判定部が装着状態であると判定した場合に、前記通信部が前記通信先と再接続処理を行うように制御する制御部とを有する。
【０００８】
この構成によれば、通信部が非接続状態の場合に無条件で再接続処理を行うのではなく、装着判定部において電子機器が生体に装着されていると判定したことを条件に再接続処理を行う。そのため、非装着状態において、不要な再接続処理が繰り返し行われることを回避でき、省電力化を図れる。
【０００９】
好適には、前記生体に接触する生体接触部を有し、当該生体接触部と生体との接触に応じた信号を発生する接触センサと、前記接触センサからの信号に応じて生体データを記憶する記憶部とを有し、前記制御部は、前記通信部が非接続状態であると判定し、且つ前記通信部から未送信の前記生体データが前記記憶部に記憶されている場合に、前記再接続処理を行うように制御する。
【００１０】
この構成によれば、未送信の生体データが記憶部に記憶されていることを条件に再接続処理を行うため、送信する必要がある生体データが記憶されていない状態で不要な再接続処理を行うことがないため、省電力化を図れる。また、未送信の生体データが記憶部に記憶されている場合には再接続処理を行うことで、生体データを安定して早いタイミングで通信先に送信できる。
【００１１】
好適には、前記装着判定部は、前記生体接触部からの信号を基に前記装着判定を行う。
【００１２】
この構成によれば、生体からその状態に応じた信号を取得できる。当該信号を基に得られた生体データにより生体の状態を解析できる。
【００１３】
好適には、前記制御部は、前記装着判定部が装着状態であると判定した場合に、前記接触センサからの信号に応じた生体データを前記記憶部に記憶する。
【００１４】
この構成によれば、装着状態であることを条件に接触センサからの信号に応じた生体データを記憶部に記憶するため、非装着状態で生体から得られた不要なデータを記憶部に記憶しないため、記憶部の記憶領域を効率利用できる。
【００１５】
好適には、前記生体データを基に解析処理を行う解析部をさらに有し、前記制御部は、前記装着判定部が装着状態であると判定した場合に、前記解析部の解析結果を示す解析データを前記記憶部に記憶する。
【００１６】
この構成によれば、装着状態であることを条件に解析データを記憶部に記憶するため、非装着状態で得られた不要な解析データを記憶部に記憶しないため、記憶部の記憶領域を効率利用できる。
【００１７】
好適には、前記制御部は、前記装着判定部が非装着状態の期間が所定時間経過したと判定した場合に、前記通信部による通信の切断処理を行う。
【００１８】
この構成によれば、非装着状態であるとの判定が略確定した場合に、通信部による切断処理とスリープ処理とを行うため、省電力化を図れる。
【００１９】
好適には、前記制御部は、前記装着判定部が非装着状態であると判定した場合に、前記生体データより情報量が少ない非装着データを前記記憶部に記憶する。
【００２０】
この構成によれば、非装着状態において、生体データより情報量が少ない非装着データを記憶部に記憶するため、記憶部の記憶容量を効果的に利用できる。
【００２１】
好適には、前記制御部は、前記通信部が接続状態において、前記記憶部から前記生体データを読み出して前記通信部に送信させる。
【００２２】
この構成によれば、通信部が接続状態において記憶部から生体データを読み出して通信部に送信させるため、生体データを生成してから最短のタイミングで生体データを送信できる。
【００２３】
好適には、前記制御部は、前記通信部が接続状態において、前記記憶部から前記解析データを読み出して前記通信部に送信させる。
【００２４】
この構成によれば、通信部が接続状態において記憶部から解析データを読み出して通信部に送信させるため、解析データを生成してから最短のタイミングで生体データを送信できる。
【００２５】
好適には、前記制御部は、前記通信部が接続状態において、前記記憶部から前記非装着データを読み出して前記通信部に送信させる。
【００２６】
本発明の電子機器は、生体に装着される電子機器であって、生体に着脱可能に装着される電子機器に搭載される通信制御装置を有し、前記通信制御装置は、前記電子機器が生体に装着されているか否かの装着判定する装着判定部と、前記電子機器に搭載された通信部が通信先と接続状態であるか否かを判定する通信判定部と、前記通信部が非接続状態であると判定し、且つ前記装着判定部が装着状態であると判定した場合に、前記通信部が前記通信先と再接続処理を行うように制御する制御部とを有する。
【発明の効果】
【００２７】
本発明によれば、不要な再接続待ちによる電力消費を低減する通信制御装置及び電子機器を提供することができる。
【図面の簡単な説明】
【００２８】
【図１】本発明の実施形態の生体情報測定装置の構成図である。
【図２】図１に示す生体情報測定装置の制御系の機能ブロック図である。
【図３】図１に示す生体情報測定装置のデータ取得処理を説明するためのフローチャートである。
【図４】図１に示す生体情報測定装置のデータ送信処理を説明するためのフローチャートである。
【図５】図４のデータ送信処理の変形例を説明するためのフローチャートである。
【発明を実施するための形態】
【００２９】
（全体構成）
以下、本発明の実施形態に係る生体情報測定装置について説明する。
図１は、本発明の実施形態の生体情報測定装置１００の構成図である。生体情報測定装置１００は、制御装置１１０と、Ｃパッド１１１ＣとＬパッド１１１ＬとＲパッド１１１Ｒと、Ｃ配線１１２ＣとＬ配線１１２ＬとＲ配線１１２Ｒとを含む。
生体情報測定装置１００は、本発明の通信制御装置の一例である。
【００３０】
Ｃパッド１１１Ｃは、平板状のＣ絶縁体１１３Ｃと、Ｃ絶縁体１１３Ｃの片面に貼り合わせた平板状の第１電極２１１Ｃ（コモン電極とも呼ばれ、以下、Ｃ電極２１１Ｃと呼ぶ場合がある）とを含む。Ｌパッド１１１Ｌは、平板状のＬ絶縁体１１３Ｌと、Ｌ絶縁体１１３Ｌの片面に貼り合わせた左第２電極２１１Ｌ（以下、Ｌ電極２１１Ｌと呼ぶ場合がある）とを含む。Ｒパッド１１１Ｒは、平板状のＲ絶縁体１１３Ｒと、Ｒ絶縁体１１３Ｒの片面に貼り合わせた右第２電極２１１Ｒ（以下、Ｒ電極２１１Ｒと呼ぶ場合がある）とを含む。以下、Ｃ電極２１１ＣとＬ電極２１１ＬとＲ電極２１１Ｒとを区別せずに、電極２１１と呼ぶ場合がある。電極２１１は、いずれも、金属などの導電性部材で形成されており、生体に接触可能なように外部に露出されている。
【００３１】
制御装置１１０は、後述の電気系統を構成する部品を収容している。Ｃ配線１１２Ｃは、制御装置１１０とＣ電極２１１Ｃとを接続している。Ｌ配線１１２Ｌは、制御装置１１０とＬ電極２１１Ｌとを接続している。Ｒ配線１１２Ｒは、制御装置１１０とＲ電極２１１Ｒとを電気的に接続している。
【００３２】
生体情報測定装置１００は、生体からの電気信号に基づいて生体情報を測定する生体情報測定と、生体に対する１つ以上の電極２１１の装着状態を検出する装着状態検出とを実行する。生体は、例えば、人体である。生体情報は、例えば、心電である。生体情報測定装置１００は、図示しない内蔵電池の電力により動作する。
【００３３】
Ｃ電極２１１ＣとＬ電極２１１ＬとＲ電極２１１Ｒとが、人体の心臓近くの皮膚上に配置される。Ｃ電極２１１Ｃは、Ｌ電極２１１ＬとＲ電極２１１Ｒとの間で、心臓に一番近く配置される。生体に正しく装着したとき、Ｌ電極２１１ＬとＲ電極２１１Ｒとが、Ｃ電極２１１Ｃを中心として対称に配置される。Ｃ電極２１１ＣとＬ電極２１１Ｌとの間の電圧波形が検出される。さらに、Ｃ電極２１１ＣとＲ電極２１１Ｒとの間の電圧波形が検出される。検出された２つの電圧波形の差分が、人体の心電情報を表す。
【００３４】
（制御系統の構成）
図２は、図１に示す生体情報測定装置１００の制御系の機能ブロック図である。
図１に示すように、生体情報測定装置１００は、例えば、生体接触センサ１３、通信判定部２１、装着判定部２３、制御部２５、記憶部３１、通信部３３及び解析部３５を有する。
【００３５】
生体接触センサ１３は、生体に接触する生体接触部である図１に示すＣパッド１１１Ｃ、Ｌパッド１１１Ｌ及びＲパッド１１１Ｒを有する。また、生体接触センサ１３は、生体接触センサ１３は、信号印加部（図示せず）及び信号増幅部（図示せず）を有する。
【００３６】
通信判定部２１は、生体情報測定装置１００に搭載された通信部３３が通信先（例えば、スマートフォン等の通信装置）と接続状態（通信可能状態）であるか否かを判定する。
【００３７】
装着判定部２３は、生体接触センサ１３からの信号を基に、生体情報測定装置１００が生体に装着されている装着状態か否かを判定を行う。
【００３８】
記憶部３１は、生体接触センサ１３からの信号に応じた生体データを記憶する。記憶部３１は、例えば、送信バッファメモリである。
【００３９】
解析部３５は、記憶部３１に記憶された生体データを基に、装着者の動作の解析処理を行い、その結果を示す解析データを記憶部３１に書き込む。
【００４０】
制御部２５は、通信判定部２１において通信部２３が非接続状態であると判定され、且つ装着判定部２３において生体情報測定装置１００が装着状態であると判定した場合に、通信部３３が通信先と再接続処理を行うように制御する。
【００４１】
制御部２５は、装着判定部２３が装着状態であると判定した場合に、生体接触センサ１３からの信号に応じた生体データを記憶部３１に記憶する。
【００４２】
制御部２５は、通信判定部２１において通信部２３が非接続状態であると判定され、且つ記憶部３１に未送信の生体データが記憶されていると判定した場合に、通信部３３が通信先と再接続処理を行うように制御する。
【００４３】
制御部２５は、通信部３３が接続状態において、記憶部３１から読み出した生体データ、解析データ、非装着データを通信部３３に送信させる。
【００４４】
以下、生体情報測定装置１００の動作例を説明する。
生体情報測定装置１００は、以下に示すデータ取得処理とデータ送信処理とを並行して実行する。
【００４５】
［データ取得処理］
図３は、図１に示す生体情報測定装置１００のデータ取得処理を説明するためのフローチャートである。
ステップＳＴ１：
装着判定部２３は、生体接触センサ１３からの信号を基に、生体情報測定装置１００が生体に装着されているかを判定する装着判定処理を行う。
そして、制御部２５は、当該装着判定処理により装着状態であると判定された場合にはステップＳＴ２に進み、非装着状態であると判定された場合にはステップＳＴ５に進む。
【００４６】
ステップＳＴ２：
制御部２５は、生体接触センサ１３からの信号に応じた生体データを記憶部３１に書き込む。
【００４７】
ステップＳＴ３：
解析部３５は、記憶部３１に記憶された生体データを基に、装着者の動作の解析処理（例えば、歩行解析処理）を行う。
【００４８】
ステップＳＴ４：
制御部２５は、ステップＳＴ３の解析処理の結果を示す解析データを記憶部３１に書き込む。
【００４９】
ステップＳＴ５：
制御部２５は、非装着状態が予め決められた一定時間継続したか否かを判断し、肯定判定の場合にステップＳＴ７に進み、否定判定の場合にステップＳＴ６に進む。
【００５０】
ステップＳＴ６：
制御部２５は、例えば、非装着時間を示す非装着データを記憶部３１に書き込む。
【００５１】
ステップＳＴ７；
制御部２５は、通信部３３による通信の切断処理を行う。
【００５２】
［データ送信処理］
図４は、図１に示す生体情報測定装置１００のデータ送信処理を説明するためのフローチャートである。
ステップＳＴ１１：
通信判定部２１は、生体情報測定装置１００に搭載された通信部３３が通信先と接続状態であるか否かを判定する。
そして、制御部２５は、通信判定部２１による通信判定処理により接続状態であると判定された場合にはステップＳＴ１２に進み、非接続状態であると判定された場合にはステップＳＴ１３に進む。
【００５３】
ステップＳＴ１２：
制御部２５は、記憶部３１から読み出した生体データ、解析データ、非装着データを通信部３３に送信させる。
【００５４】
ステップＳＴ１３：
装着判定部２３は、生体接触センサ１３からの信号を基に、生体情報測定装置１００が生体に装着されているかを判定する装着判定処理を行う。
そして、制御部２５は、当該装着判定処理により装着状態であると判定された場合にはステップＳＴ１４に進み、非装着状態であると判定された場合にはステップＳＴ１６に進む。
【００５５】
ステップＳＴ１４：
制御部２５は、通信部３３に再接続処理を行わせる。
【００５６】
ステップＳＴ１５：
制御部２５は、記憶部３１から読み出した生体データ、解析データ、非装着データを通信部３３に送信させる。
【００５７】
ステップＳＴ１６：
制御部２５は、装着状態における生体データあるいは解析データが記憶部３１に記憶されているか否かを判断し、肯定判定の場合にステップＳＴ１４に進み、否定判定の場合に処理行う。
【００５８】
以上説明したように、生体情報測定装置１００によれば、通信部３３が非接続状態の場合に無条件で再接続処理を行うのではなく、図４に示すステップＳＴ１３に示すように、生体情報測定装置１００が装着状態であると判定したことを条件に再接続処理を行う。そのため、非装着状態において、不要な再接続処理が繰り返し行われることを回避でき、省電力化を図れる。
【００５９】
また、生体情報測定装置１００によれば、図４のステップＳＴ１１、ＳＴ１３に示すように、非接続状態において、装着状態と判定された場合には、再接続処理を行ってから、記憶部３１に記憶された未送信の生体データ等を通信部３３を介して送信する。そのため、通信が切れた場合でも、再接続後に生体データ等を通信先に送信できる。
【００６０】
また、生体情報測定装置１００によれば、図３に示すように、生体情報測定装置１００の装着中にのみ、生体接触センサ１３からの信号に応じた生体データを記憶部３１に記憶すると共に、解析部３５による解析処理及び解析データの記憶部３１への記憶を行う。そのため、生体接触センサ１３から非装着状態で取得された信号に応じた不要な生体データを記憶部３１に書き込まず、且つ不要な解析処理を行いため、記憶部３１の記憶領域の有効活用及び不要な処理の削減を図れる。
【００６１】
生体情報測定装置１００によれば、図４に示すステップＳＴ１３，ＳＴ１６に示すように、非装着中においても、記憶部３１に未送信の生体データ等が記憶されていれば再接続処理を行う。これにより、生体データを安定して早いタイミングで通信先に送信できる。
【００６２】
生体情報測定装置１００によれば、再接続処理に失敗しても、図３に示すデータ送信処理は継続して行われ、生体から取得し生体データは記憶部３１に記憶される。そのため、生体から取得したデータが失われることはない。
【００６３】
生体情報測定装置１００によれば、図３に示すステップＳＴ７に示すように、非装着状態が一定時間継続した場合にスリープ処理を行う。これにより、省電力化を図ることができる。
【００６４】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００６５】
例えば、上述した実施形態では、本発明の電子機器として、眼鏡型の電子機器を例示したが、リストバンドや時計等の生体に装着されるその他の電子機器であってもよい。
【００６６】
また、上述した実施形態では、生体として人体を例示したが、人体以外のペット等の動物等の生体に装着する場合も同様に適用できる。
【００６７】
また、上述した実施形態では、生体接触センサ１３と装着判定部２３とを別モジュールとして実現した場合を例示したが、一つのモジュールとして実現してもよい。
【００６８】
また、上述した実施形態では、図４に示すようにステップＳＴ１３で非装着状態と判定し、且つステップＳＴ１６で未送信の解析データが記憶部３１に記憶されていると判定した場合に再接続処理を行う場合を例示したが、図５に示すように、ステップＳＴ１３で未装着と判定した場合は無条件に再接続処理を行わないようにしてもよい。
【産業上の利用可能性】
【００６９】
本発明は、生体に装着される様々な生体情報測定装置、例えば、心電測定、眼電位測定、筋電位測定に使用される生体情報測定装置に適用可能である。
【符号の説明】
【００７０】
１３…生体接触センサ
２１…通信判定部
２３…装着判定部
２５…制御部
３１…記憶部
３３…通信部
３５…解析部
１００…生体情報測定装置
１１１Ｃ…Ｃパッド
１１１Ｌ…Ｌパッド
１１１Ｒ…Ｒパッド
１１３Ｃ…Ｃ絶縁体
１１３Ｌ…Ｌ絶縁体
１１３Ｒ…Ｒ絶縁体
２１１Ｃ…Ｃ電極
２１１Ｌ…Ｌ電極
２１１Ｒ…Ｒ電極
【図１】
2018133791.tif 000003
【図２】
2018133791.tif 000004
【図３】
2018133791.tif 000005
【図４】
2018133791.tif 000006
【図５】
2018133791.tif 000007